(57)【要約】【課題】  開口部における良好な通風性及び採光性を備えさせて住環境を快適に整え、外観意匠を損なうことなく、高い防犯性能を確保する。【解決手段】  平行突き出し窓１０は、枠部材２と、枠部材２に対して屋外側に平行に突出して開放される障子３と、障子３を平行移動させるリンク機構とを備え、開口部１に内付けされている。枠部材２は、開口部１の屋内側寄りに障子３を引き込んで閉鎖する。また、障子３は、突出量を規制する固定手段を備え、壁体の屋外面と略面一に揃えて固定されたときに開口部１の見込部と障子３との間に隙間を形成する。【選択図】  図４
2014047543.tif 000002
【特許請求の範囲】
【請求項１】
壁体に設けられた開口部に突き出し窓が内付けされた外壁の開口部構造であって、
前記突き出し窓は、枠部材と、該枠部材に対して屋外側に突出して開放される障子と、前記枠部材と障子との間に設けられ前記障子を平行移動させるリンク機構とを備え、
前記枠部材は、開口部の屋内側寄りに前記障子を引き込んで閉鎖する構成となされ、
前記障子は、該障子の突出量を規制する固定手段を備えて、壁体の屋外面と略面一に揃えた開放位置で固定されたときに該障子と前記開口部の見込部との間に隙間を形成することを特徴とする外壁の開口部構造。
【請求項２】
請求項１に記載の外壁の開口部構造において、
前記障子は、壁体の屋外面と略面一に揃う第１の開放位置と、壁体の屋外面より突出する第２の開放位置との少なくとも２段階の突出量を選択可能に規制されていることを特徴とする外壁の開口部構造。
【請求項３】
請求項１又は２に記載の外壁の開口部構造において、
前記開口部は、高さ方向に長く、幅方向に狭いスリット形状であることを特徴とする外壁の開口部構造。
【請求項４】
壁体に設けられた開口部に突き出し窓が内付けされた外壁の開口部構造であって、
前記突き出し窓は、壁体に対して屋外側に平行に突出して開放される障子を備え、
前記障子は、該障子の突き出し幅が、前記壁体の屋外面と略面一に揃えた開放位置に固定されたときに、該障子と前記開口部の見込部との間に隙間を形成することを特徴とする外壁の開口部構造。
【請求項５】
請求項４に記載の外壁の開口部構造において、
前記障子は、壁体の屋外面と略面一に揃う第１の開放位置と、壁体の屋外面より突出する第２の開放位置との少なくとも２段階の突き出し幅を選択可能とされていることを特徴とする外壁の開口部構造。
【請求項６】
請求項１〜５のいずれか一つの請求項に記載の開口部構造において、
前記開口部は、壁体に沿って屋外側に配設された片引き玄関ドアの引き込み側に並設されたことを特徴とする外壁の開口部構造。
【発明の詳細な説明】
【技術分野】
【０００１】
本発明は、開口部に突き出し窓を備えた外壁の開口部構造に関する。
【背景技術】
【０００２】
住宅等の建物においては、開口部から自然の風を効率よく取り入れて通風や換気を行い、空調設備に頼らずとも、快適な住環境を得られるようにすることが好ましい。特に、春や秋などの穏やかな気候の季節には、窓を開け放して通風することで十分に自然の涼が得られ、省エネルギーにも貢献することができる。
【０００３】
一方で、近年では防犯に対する関心が高まっており、建物の防犯性能を確保することは極めて重要な課題となっている。また、建物単体で高い防犯性能を確保し、良質な住宅ストックの形成を図ることが求められている。
【０００４】
開口部における防犯性の向上にあたっては、侵入盗等の被害に遭いにくく、破壊されにくい構造とすることが求められている。また、開口部を侵入企図者に接近されにくくしたり、また接近しにくいと感じさせたりすることも有効とされている。特に、接地階に設ける窓や、屋外バルコニー等に面する窓等のように、外部から接近することが比較的容易な開口部には、確実な侵入防止措置を講じることが好ましい。
【０００５】
出入りの用に供しない開口部の侵入防止措置としては、例えば面格子を外付けしたりガラリ等を連設したりすることが広く行われている。しかしながら、片開き窓やすべり出し窓のように、障子の開閉方式によっては、屋外側に面格子やガラリ等を取り付けられない場合があった。また、ガラリ等を設けることによって、居室に閉塞感を生じたり美観を損ねたりする懸念があり、障子を開放されているかどうかを外部から視認されやすいという問題点もあった。
【０００６】
障子を開放した状態で防犯性を備えさせる手法として、例えば特許文献１には、窓枠内に、採光部及び採風部を連設し、採光部には透明なガラス製パネルをはめ殺しにし、採風部には屋外側にガラリを嵌め込んだ構成の窓が開示されている。また、採風部の屋内側には平行突き出し障子を設け、ガラリの屋内側に障子を突出させて開放することが提案されている。
【先行技術文献】
【特許文献】
【０００７】
【特許文献１】特開２００９−２９３３１６号公報
【発明の概要】
【発明が解決しようとする課題】
【０００８】
前記従来例の窓は、住宅等の建物において実用化するには未だ問題点があった。すなわち、はめ殺しの採光部とガラリを備えた採風部とを並設する構成であるため、配置場所に広い壁面を必要とすることに加え、屋内側に平行突き出し障子が開放されて出っ張るので屋内側に開閉のためのスペースを必要とする。そのため、建物のどのような部分にでも配置できるものではなく、例えば廊下、階段、水回り居室等の狭い空間には不向きであり、設計自由度に劣る。効率のよい通風のためには、建物全体の風の流れを考慮して風の入口と出口とを計画すべきであるが、このように広い壁面を要する窓を建物の複数箇所に設けることは困難な場合が多い。また、屋内側に障子が引き出されるので、屋内側においてすっきりとした外観が形成されるとは言い難い。
【０００９】
このように、通風性と防犯性とを兼ね備え、使い勝手がよく、良好な外観意匠を形成し得て、どのような場所にも配置することができる実用的な開口部構造は現状ではほとんど提案されていなかった。また、快適な住環境を創出するには開口部による通風・換気が重要である反面、窓を開け放しにすることには防犯面から不安が残り、窓を閉め、空調設備に頼らざるを得ない実情があった。
【００１０】
本発明は、上記のような問題点にかんがみてなされたものであり、その目的とするところは、良好な通風性及び採光性を備えて住環境を快適に整えることができ、外観意匠を損なうことなく高い防犯性能を確保することのできる外壁の開口部構造を実現し、ひいては良質な住宅ストックの形成に寄与することにある。
【課題を解決するための手段】
【００１１】
前記の目的を達成するための本発明の解決手段は、壁体に設けられた開口部に突き出し窓が内付けされた外壁の開口部構造を前提とする。この開口部構造に対し、前記突き出し窓として、枠部材と、該枠部材に対して屋外側に平行に突出して開放される障子と、前記枠部材と障子との間に設けられ前記障子を平行移動させるリンク機構とを備えさせる。前記枠部材は、開口部の屋内側寄りに前記障子を引き込んで閉鎖する構成とする。また、前記障子には、該障子の突出量を規制する固定手段を備えさせ、壁体の屋外面と略面一に揃えた開放位置に固定したときに該障子と前記開口部の見込部との間に隙間を形成するように構成している。
【００１２】
この特定事項により、障子を通して採光が可能であり、障子の四周と開口部との隙間を通して風を流通させ、通風や換気を良好に行うことができる。また、障子は壁体の屋外側に出っ張らずに開放されるので、開放されていることを外部から認識されにくく、あたかも嵌め殺し窓のような外観を形成することができ、見栄えもよい。そのため、侵入企図者の接近を妨げることができ、万一接近されても、障子の周囲に手や用具を挿入するほどのスペースは無く、こじ破りや破壊等を受けにくい構造とすることができる。したがって、通風性、採光性、意匠性、及び防犯性のいずれにも優れた開口部構造とすることができる。
【００１３】
前記開口部構造のより具体的な構成として、前記障子を、壁体の屋外面と略面一に揃う第１の開放位置と、壁体の屋外面より突出する第２の開放位置との少なくとも２段階の突出量に選択可能となるよう規制した構成であってもよい。
【００１４】
これにより、通常の通風時や換気時には障子を第１の開放位置に突出させて、通風性と防犯性との両方を確保することができる。また、日中の在宅時や換気量を高めたいときなどには、障子を第２の開放位置まで突出させて、より風通しをよくすることができる。このように、必要に応じて障子の開放形態を変えることができるので、利便性が高く、自然の風を利用した快適な居住環境を整えることが可能となる。
【００１５】
さらに、前記開口部構造において、前記開口部を、高さ方向に長く、幅方向に狭いスリット形状とすることが好ましい。
【００１６】
これにより、前記開口部からの風を、屋内の高さ方向に偏りなく流通させることができ、省スペースでありながら十分な通風量を確保することができる。また、突き出し窓の開口幅が小さいので、開口部の大きさそのものが人の侵入を阻止するものとなり、外観上は、侵入企図者から侵入の対象として狙われにくく、防犯性をより一層高めることが可能となる。加えて、かかる構成の開口部であることにより、万一、障子を破られることがあっても、屋内側への侵入を阻止することができる。
【００１７】
また、本発明は、壁体に設けられた開口部に突き出し窓が内付けされた外壁の開口部構造を前提とし、前記突き出し窓に、壁体に対して屋外側に平行に突出して開放される障子を備えさせ、前記障子として、該障子の突き出し幅が、前記壁体の屋外面と略面一に揃えた開放位置に固定されたときに、該障子と前記開口部の見込部との間に隙間を形成する構成としてもよい。
【００１８】
この特定事項により、障子を通して採光が可能であり、障子の四周と開口部との隙間を通して風を流通させ、通風や換気を良好に行うことができる。また、障子は壁体の屋外側に出っ張らずに開放されるので、開放されていることを外部から認識されにくく、あたかも嵌め殺し窓のような外観を形成することができ、見栄えもよい。そのため、侵入企図者の接近を妨げることができ、万一接近されても、手や用具を挿入するほどのスペースは無く、こじ破りや破壊等を受けにくい構造とすることができる。したがって、通風性、採光性、意匠性、及び防犯性のいずれにも優れた開口部構造とすることができる。
【００１９】
また、前記開口部構造においては、前記障子を、壁体の屋外面と略面一に揃う第１の開放位置と、壁体の屋外面より突出する第２の開放位置との少なくとも２段階の突き出し幅を選択可能に構成することが好ましい。
【００２０】
これにより、通常の通風時や換気時には障子を第１の開放位置に突出させて、通風性と防犯性との両方を確保することができる。また、日中の在宅時や換気量を高めたいときなどには、障子を第２の開放位置まで突出させて、より風通しをよくすることができる。このように、必要に応じて障子の開放形態を変えることができるので、利便性が高く、自然の風を利用した快適な居住環境を整えることが可能となる。
【００２１】
さらに、前記開口部構造において、前記開口部を、壁体に沿って屋外側に配設された片引き玄関ドアの引き込み側に並設する構成としてもよい。
【００２２】
これにより、玄関における採光を可能にし、玄関ドアを閉めた状態であっても、通風性を確保することができる。しかも、前記開口部の障子は、壁体の屋外面と略面一に揃えて壁体の屋外側に出っ張らずに固定することができるので、高い防犯性を確保した状態での通風が可能とされる。このとき、前記開口部は、玄関ドアの引き込み時に障子が干渉せず、安全で円滑に玄関ドアを開閉することを可能にする。
【発明の効果】
【００２３】
本発明では、開口部において障子からの採光と、障子と開口部との隙間を介した通風とを可能にしている。その上、前記障子を、壁体の屋外面と略面一に揃えた状態に開放することができるので、侵入被害や破壊等を受けにくくすることができ、外観意匠を損なうことなく高い防犯性能を確保することができる。したがって、通風性と防犯性との両方を兼ね備えた開口部構造とすることができる。
【図面の簡単な説明】
【００２４】
【図１】本発明の一実施形態に係る外壁の開口部構造を示す外観正面図である。
【図２】図１の開口部構造を示す内観正面図である。
【図３】前記開口部構造における開放状態の障子を示す側面図である。
【図４】前記障子が閉鎖された状態を示す横断面図である。
【図５】前記障子が開放された状態を示す横断面図である。
【図６】前記障子がさらに開放された状態を示す横断面図である。
【図７】前記障子の開閉ハンドルを示す斜視図である。
【図８】前記障子が開放された状態での風の流通を示す概念図である。
【図９】前記開口部構造を設けた建物の構成例を示し、図９（ａ）は平面図、図９（ｂ）は断面図である。
【図１０】本発明の他の実施形態に係る外壁の開口部構造を示す横断面図である。
【図１１】本発明のさらに他の実施形態に係る外壁の開口部構造を示す外観斜視図である。
【図１２】本発明のさらに他の実施形態に係り、平行突き出し窓サッシの構成例を示す横断面図である。
【発明を実施するための形態】
【００２５】
以下、本発明の実施の形態に係る外壁の開口部構造について、図面を参照しつつ説明する。
【００２６】
図１〜図９は本発明の一実施形態に係る外壁の開口部構造を示し、図１は開口部の外観を示す正面図、図２は開口部の内観を示す正面図、図３は開放状態の障子を示す側面図である。また、図４は開口部の障子が閉鎖された状態を示す横断面図、図５は障子が開放された状態を示す横断面図、図６は障子がさらに開放された状態を示す横断面図である。
【００２７】
また、図７は前記障子の開閉ハンドルを示す斜視図であり、図８は風の流通を説明する概念図、図９は前記開口部構造を備えた建物の構成例を示し、図９（ａ）は平面図、図９（ｂ）は断面図である。
【００２８】
図１及び図２に示すように、本実施形態に係る外壁の開口部構造では、壁体１１に開口部１が設けられている。開口部１は、高さ方向に長く幅方向に狭いスリット形状（スロット形状）とされている。
【００２９】
例示の形態では、開口部１は、屋内の床面１２の近傍から、天井付近までの高さを有する縦長の細長い形状に形成されている。図３に示すように、開口部１の上部には庇１３が設けられ、下部には水切り材１４が設けられている。
【００３０】
図４に示すように、壁体１１を構成する外壁材１５には、開口１５１が設けられている。外壁材１５の屋内側面には、開口１５１の外周部に沿って、適宜の断面寸法を有する軸組構成部材１６が配設されている。軸組構成部材１６には、平行突き出し窓１０の取付部材１７が取着されている。
【００３１】
外壁材１５の屋内側には、外壁材１５に対向させ、内装材１８が建て込まれている。外壁材１５と内装材１８との間には、図示しない断熱材や内装下地材が配設される。内装材１８の開口端縁には、四周にわたり木製の額縁１９が取り付けられている。なお、図３では、図面を見やすくするため、額縁１９及び内装材１８を省略して示している。
【００３２】
開口部１には、平行突き出し窓１０が内付けされている。平行突き出し窓１０は、開口部１の形状に対応する高さ方向に長い矩形状に形成されている。この平行突き出し窓１０は、枠部材２と、枠部材２に対して屋外側に平行に突出して開放される障子３と、枠部材２と障子３との間に設けられて障子３を平行移動させる複数のリンク機構４とを備えている（図３参照）。
【００３３】
平行突き出し窓１０の枠部材２は、外壁材１５の開口１５１の屋内側の四周に取付部材１７を介して配設されている。図４に示すように、枠部材２は左右のたて枠２１が、外壁材１５の屋内側から額縁１９までの奥行き寸法を有して形成され、壁体１１に対して内付けにより配設されている。
【００３４】
また、図２に示されるように、枠部材２は、スリット形状の開口部１に対応して、高さ方向に長い矩形状に組まれている。例えば、枠部材２の高さは２１００〜２２００ｍｍで形成され、枠部材２の内側の開口は、内法で２０００〜２１００ｍｍの高さを有して形成されている。左右のたて枠２１、２１の幅方向の相互間隔は、人の侵入不能な内法寸法となされ、枠部材２の開口幅Ｗを構成している。具体的には、この平行突き出し窓１０の枠部材２の開口幅Ｗは１６５ｍｍであり、１６５ｍｍ以下とされることにより、人の侵入不能な最大幅として構成されている。
【００３５】
ここで、防犯建物部品等（ＣＰ部品）の指針では、侵入のおそれのない小窓として、長辺が４００ｍｍで短辺が２５０ｍｍの長方形、長径４００ｍｍで短径３００ｍｍの楕円、及び直径が３５０ｍｍの円のいずれの図形も通過しない内法であることが求められている。これに対し、枠部材２の開口幅Ｗは、かかる小窓の条件よりもさらに厳しい条件であることから、開口部１に対する侵入のおそれを無くし、一定の防犯性を確保している。
【００３６】
図４に示すように、枠部材２は、屋外側の見付部２１１が、外壁材１５より屋内側に後退して配設され、抱きを有する納まりとされている。枠部材２の四周には、障子３に当接する戸当り２２が、見込部２１２から枠部材２の内側方向へ突設されている。また、戸当り２２は、枠部材２の見込部２１２の屋内側寄りに後退して設けられている。戸当り２２には、障子３に密着する気密材２３が配設されている（図５、図６参照）。
【００３７】
また、平行突き出し窓１０において、障子３は、図１に示すように、上框３１、下框３２、及び左右のたて框３３とを備え、内側にペアガラス３４が嵌め込まれている。上框３１、下框３２、及び左右のたて框３３の各周縁部には、鍔部３５が外周方向に延設されている。図４〜図６に示されるように、鍔部３５は、屋内側の見付面に気密材３６が配設され、枠部材２の鍔受け部２４に気密材３６を介して密着するように構成されている。
【００３８】
障子３は、枠部材２との間に架設されたリンク機構４により、屋外側へ水平方向に平行移動される。リンク機構４としては、平行突き出し窓に用いられる公知の開閉部材を用いることができ、例示のものに限定されない。
【００３９】
図３に示す形態では、リンク機構４は、たて枠２１に設けられた図示しない枠側ブラケットと、障子３の外側面に設けられた障子側ブラケット３７と、これらの両ブラケットを連結するＸ字状に交差された一対のリンク部材４１とを備えている。
【００４０】
リンク部材４１は、第１リンク４１Ａと第２リンク４１Ｂの交差部が開閉自在にピン連結されている。第１リンク４１Ａの一端部は枠側ブラケットの下端部にスライド自在に連結され、他端部は障子側ブラケット３７の上端部に連結されている。第２リンク４１Ｂの一端部は、障子側ブラケット３７の下端部の長孔３７１に沿ってスライド自在に連結され、他端部は枠側ブラケットの上端部に連結されている。
【００４１】
かかるリンク機構４は、枠部材２と障子３との間隙を利用して、障子３の外周部の上下左右にそれぞれ架設されている。リンク機構４は、障子３の左右側面には、それぞれ、高さ方向の中間部と下部との複数箇所に設けられ、安定的な平行移動を可能にしている。
【００４２】
リンク機構４は、障子３に備えられた開閉ハンドル５によって操作される。図２及び図７に示すように、開閉ハンドル５は、２本のアーム５１をハンドル部５２で接続して形成されている。枠部材２のたて枠２１の屋内側には、高さ方向の略中間部に開閉ハンドル５の支持部５３が設けられている。各支持部５３は、開閉ハンドル５の２本のアーム５１を、屋内側と屋外側との双方に貫通可能に形成されている。アーム５１の先端部（屋外側）は、支持部５３を貫通して、障子３のたて框３３の屋内側に設けられた支持片３３１に回動可能に連結されている。
【００４３】
障子３を開ける場合は、図７に示すように、アーム５１が略水平姿勢となる位置まで、支持片３３１を中心にハンドル部５２を持ち上げ、屋外方向に押す。これにより、リンク機構４がＸ字状に開いて延伸され、障子３が屋外側に平行移動される。
【００４４】
この障子３は、突出量を規制する固定手段を備えている。例示の形態では、固定手段として、支持部５３に内装されたピン５４と、ピン５４が走行するガイド溝５５とを備えている。ガイド溝５５は、各アーム５１に長さ方向に形成されている。ガイド溝５５の先端部（屋外側）は略円弧状に形成され、アーム５１が支持片３３１に対して回動するのを許容する。また、ガイド溝５５の途中部と、基端部（屋内側）には、ピン５４が係合する段部５５Ａ、５５Ｂが形成されている。
【００４５】
ハンドル部５２を持ち上げて屋外方向に押すと、ピン５４がガイド溝５５を走行するとともに、アーム５１が支持部５３を貫通して屋外側へ突き出る。これにより、障子３が屋外側へ平行に移動する。ピン５４をガイド溝５５の段部５５Ａに係合させると、障子３は、図５に示すように、外壁材１５の屋外面と略面一に揃う第１の開放位置まで開放され、この状態で固定される。また、ハンドル部５２を持ち上げて、さらに屋外方向に押し出し、ピン５４を段部５５Ｂに係合させると、障子３は、図６に示すように、外壁材１５の屋外面より突出する第２の開放位置まで開放され、この状態で固定される。つまり、障子３は、ガイド溝５５の段部５５Ａ、５５Ｂと、ピン５４との係合により、２段階の開放位置を選択可能となるように突出量が規制されている。
【００４６】
障子３を閉じる場合は、上記とは逆に、開閉ハンドル５を手前に引き戻してリンク機構４を縮退させる。図２に示すように、支持部５３を中心にアーム５１を垂直位置まで下ろすと、障子３が完全に閉鎖される。
【００４７】
これにより、障子３の上框３１、下框３２、及びたて框３３は、屋内側の見付部が枠部材２の戸当り２２に当接し、気密材２３が密着する（図４参照）。また、障子３の鍔部３５は、枠部材２の鍔受け部２４に気密材３６を介して密着する。障子３は、外壁材１５の屋内面よりも屋内側に後退し、外壁材１５の見込部を見せた納まりにより閉鎖される。かかる平行突き出し窓１０は、開閉ハンドル５により障子３を開閉することができ、片手であっても容易に開閉操作することができる。
【００４８】
図５に示すように、障子３が第１の開放位置に固定されているとき、外壁材１５の開口１５１の見込部と障子３の四周の框（３１、３２、３３）との間には、隙間Ｓ１が形成されている。隙間Ｓ１は、例えば２０ｍｍ程度の大きさとされる。そのため、外観は図１に示したような形態となり、障子３と、外壁材１５の屋外面とが略面一に揃えられて、障子３が開放されているかどうかは識別されにくいものとなる。また、一見すると、障子３は嵌め殺し窓のようにも見える外観を呈する。
【００４９】
したがって、第１の開放位置では、開口部１は、外観上、侵入企図者から侵入の対象として狙われにくいものとなる。その上、隙間Ｓ１は、手や工具等を差し込むことができない程度に狭いので、防犯上、極めて有利な開放形態とすることができる。
【００５０】
加えて、図８に示すように、障子３が第１の開放位置にあるとき、障子３の四周の隙間（Ｓ１）を通して、屋外側と屋内側とに風が流通する。これにより、居室の通風や換気を良好に行うことができる。しかも、第１の開放位置にあっては、上記のとおり防犯性が確保されているので、障子３を開放したままとしても、安心して快適に過ごすことができる。
【００５１】
さらに、図６に示すように、障子３が第２の開放位置に固定されているときには、外壁材１５の開口１５１の見込部と、障子３の框（３１、３２、３３）との間には、隙間Ｓ２が形成される。隙間Ｓ２は、例えば５０〜６０ｍｍ程度の大きさとされる。図３に示される、障子３と庇１３との隙間や、水切り材１４と障子３との隙間も、概ね２０〜６０ｍｍ程度の大きさとされる。
【００５２】
これにより、第２の開放位置にあっては、十分な通風量が得られ、自然の風を屋内に取り入れ、また屋内の空気を屋外に排出することが可能となる。特に、開口部１は、高さ方向に長いスリット形状とされ、掃き出し窓と同様の屋内の床面１２の高さレベルまで設けられているので、足元から涼しい風を取り込むことが可能となる。また、天井付近では、隙間Ｓ２から流通する風により、あたためられた空気が冷やされ、又は屋外に排出される。これにより、空調機器に頼らずとも快適な居住環境を創出することができる。
【００５３】
なお、第２の開放位置では、障子３と外壁材１５との隙間Ｓ２が、第１の開放位置での隙間Ｓ１よりも広い。そのため、隙間Ｓ２に手を差し入れる余地を生じるが、万一、障子３がこじ開けられたとしても、開口部１がスリット形状であり、枠部材２の開口幅Ｗは人の侵入不能な大きさとされている。これにより、開口部１からの侵入に至っては完全に阻止することができ、防犯性を確保することができる。
【００５４】
また、開口部１はスリット形状であることから、強風時の通風にも好適に作用する。すなわち、上記のとおり外壁材１５の開口１５１と、障子３との隙間Ｓ１、Ｓ２を通して風を流通させる構成であるので、風は開口部１の正面からは吹き込まず、障子３に衝突して減勢される。このため、通常であれば障子３を閉めてしまうような強風時であっても、その風が直接、屋内側へは吹き込まず、図８に示すように障子３の側方から緩やかに流通する。よって、強風時にも障子３を開放しておくことができ、良好な通風性を確保することができる。
【００５５】
このように構成された外壁の開口部構造により、開口部１は高い防犯性を有するとともに良好な通風性を備えたものとすることができる。このため、建物の接地階における外壁であって、外部からの侵入が比較的容易とされる部分であっても、好適に設けることができ、安心して開放することができる。
【００５６】
また、かかる開口部構造によれば、省スペースで設けることができるので、建物全体の通風計画に従って、効果的な配置形態を容易に実現することができる。例えば、複数箇所に対面させて開口部１を配置することにより、通風経路の入口と出口とを設けることができる。また、開口部１同士の距離を確保することで、建物全体に風の流れを形成することができる。さらに、開口部１同士の高さを相互に異ならせることで、通風性をより一層高めることができる。
【００５７】
すなわち、図９（ａ）に例示するように、玄関ホール９１の１方向に玄関ドア９２が設けられ、玄関ドア９２の側部に近接して開口部１ａが設けられている。これにより、玄関ホール９１に採光及び通気が可能となる。また、この開口部１ａに対して、対面する壁面に開口部１ｂが設けられている。これにより、開口部１ａと開口部１ｂとが通風経路の入口と出口を形成し、玄関ホール９１及び玄関ホール９１に連続する空間に風の流れを形成することができる。
【００５８】
ここで、開口部１ｂが玄関ホール９１に隣接して配置された例えば階段室９３に、開口部１ａと高さを異ならせて配置されることで、図９（ｂ）に示すように、高さ方向にも広く風の流れが形成され、通風性を向上させることができる。また、玄関ホール９１の床面より高い位置に配設された開口部１ｂは、屋外からの光を入射させ、階段室９３だけでなく、玄関ホール９１まで届かせることができる。
【００５９】
したがって、屋外からの光が差し込まず玄関ホールが暗くなってしまうという従来の問題点を解消することができ、明るく風通しの良好な空間を玄関ホール９１及びこれに隣接する居室等を形成することが可能となる。
【００６０】
（他の実施形態）
本発明に係る外壁の開口部構造は、上記の実施形態以外にも他の様々な形で実施することができる。例えば、開口部１の形状は、スリット形状に限定されるものではなく、どのような形状で構成されてもよい。開口部１はどのような形状とされても、障子３の開放形態を第１の開放位置とすることで、良好な通風性と高い防犯性とを兼ね備えることができる。そのため、上記の実施形態は例示であり、限定的なものではない。
【００６１】
また、図１０に示すように、開口部１は、障子３の屋内側に網戸６１を設置することも可能である。障子３は、平行移動して枠部材２の屋外側で開閉され、屋内側へ突出することはない。したがって、枠部材２の戸当り２２の屋内側に網戸６１の走行レール６２を設け、巻き上げ式のロール網戸等を好適に設置することができる。
【００６２】
また、開口部１は、引戸との併用も可能である。例えば、図１１に示すように、外壁材１５に沿って屋外側に配設された片引き式の玄関ドア７と、開口部１とを近接させて並設することができる。これにより、玄関部分における採光を可能にし、玄関ドア７を閉めた状態であっても、通風性を確保することができる。しかも、開口部１の障子３を、第１の開放位置に固定することで、高い防犯性を確保した状態での通風が可能とされる。このとき、玄関ドア７の引き込み側に開口部１が設けられていても、障子３と外壁材１５の屋外面とが略面一に揃っているので、玄関ドア７の開閉に障子３が干渉することはない。したがって、安全で円滑に玄関ドア７を開閉することができる。
【００６３】
また、障子３に嵌め込むガラスの種類を、防犯複層ガラス、防犯ガラス、又は合わせガラスとすることで、開口部１における防犯性能をさらに高めることができる。また、半透明ガラス等を用いることにより、屋内側への視線を遮り、プライバシーを確保することもできる。さらに、障子３にガラスではなく、アルミパネル等の透視性を有しない不透明の板材を嵌め込んで形成することにより、プライバシーに配慮した換気用の開口部１を形成することができる。
【００６４】
また、本発明に係る外壁の開口部構造においては、開口部１に内付けされる平行突き出し窓１０を、図１２に示すように、枠部材を兼ね備えた窓枠８１を一体に備えた平行突き出し窓サッシ８として形成することも可能である。障子３の第１の開放位置は、窓枠８１の屋外側見付面と略面一に揃うように構成される。窓枠８１は、壁体１１の開口部１に内付けされ、壁体１１の屋外面と略面一に揃えて取り付けられる。
【００６５】
これにより、窓枠８１を多様な構造からなる壁体の開口部に設けることができ、どのような建物の開口部にも平行突き出し窓サッシ８を好適に配設することができる。また、障子３を開放したとき、壁体の屋外面と略面一に揃えて固定する構成が容易に得られ、開口部の見込部と障子３との間に通風のための隙間を良好に形成することができる。
【００６６】
また、本発明に係る外壁の開口部構造として、開口部１を水平方向（横方向）に長く高さ方向に狭い横長のスリット形状としてもよい。かかる横長形状の開口部１を、天井に近い高さ位置で高窓として配設したり、床面に近い高さ位置で地窓として配設したりしてもよい。開口部１をかかる形状とした場合にも、高い防犯性が確保され、外部からの視線を遮ることからプライバシーも確保される。開口部１を高窓とした場合には、さらに防犯性が高められて好ましい。
【産業上の利用可能性】
【００６７】
本発明は、出入りの用に供しない建物の開口部に好適に利用可能である。
【符号の説明】
【００６８】
１      開口部
１０    平行突き出し窓
１１    壁体
１２    床面
１５    外壁材
１５１  開口
１６    軸組構成部材
１７    取付部材
１８    内装材
１９    額縁
２      枠部材
２１    たて枠
２２    戸当り
２３    気密材
２４    鍔受け部
３      障子
３１    上框
３２    下框
３３    たて框
３３１  支持片
３５    鍔部
３７    障子側ブラケット
３７１  長孔
４      リンク機構
４１    リンク部材
４１Ａ  第１リンク
４１Ｂ  第２リンク
５      開閉ハンドル
５１    アーム
５２    ハンドル部
５３    支持部
５４    ピン
５５    ガイド溝
５５Ａ  段部
５５Ｂ  段部
７      玄関ドア
８      平行突き出し窓サッシ
８１    窓枠
９１    玄関ホール
９３    階段室
Ｓ１    隙間
Ｓ２    隙間
Ｗ      開口幅
【図１】
2014047543.tif 000003
【図２】
2014047543.tif 000004
【図３】
2014047543.tif 000005
【図４】
2014047543.tif 000006
【図５】
2014047543.tif 000007
【図６】
2014047543.tif 000008
【図７】
2014047543.tif 000009
【図８】
2014047543.tif 000010
【図９】
2014047543.tif 000011
【図１０】
2014047543.tif 000012
【図１１】
2014047543.tif 000013
【図１２】
2014047543.tif 000014